(57)【要約】【課題】扉の合わせ部の隙間又は扉の周囲と筐体の内縁との隙間から空気を吸気する構成とすることにより、乾燥工程にて扉の合わせ部の隙間又は扉の周囲と筐体の内縁との隙間から洗浄槽の内部の高温の空気及び水蒸気が漏出することを防ぐ食器洗い乾燥機を提供する。【解決手段】上扉３１及び下扉３２の合わせ部３１ａ及び３２ａの間に隙間が設けられており、筐体１の天井部と洗浄槽２の天井部との間に吸込口を備える排気ダクト１９が設けられ、吸込口付近に排気ファン２０が設けられている。排気ダクト１９の正面には排気口２１が開設されており、排気ファン２０を駆動させて合わせ部３１ａ及び３２ａの隙間から空気を吸気し、排気ダクト１９を通流して排気口２１から洗浄槽２の内部の空気及び水蒸気が筐体１の外に排気される構成とした。【選択図】図４
2008029623.tif 000002
【特許請求の範囲】
【請求項１】
正面に開口部を有する筐体と、前記開口部の上下に位置して、合わせ部を有し前記開口部を上下方向に開閉する複数の扉と、前記筐体の内部に設けられている洗浄槽と、該洗浄槽の内部の空気を排気する排気ファンとを備え、食器を乾燥する乾燥工程を含む運転を行う食器洗い乾燥機において、
前記合わせ部の間に隙間が設けられており、前記乾燥工程にて前記合わせ部の隙間から空気を吸気するようにしてあることを特徴とする食器洗い乾燥機。
【請求項２】
対向する他方の前記合わせ部に向けて突出しており、前記合わせ部に内外方向に並設され、上向きに突出している先端が下向きに突出している先端より上方に位置する突条を備え、前記先端のそれぞれと、該先端のそれぞれと対向する前記合わせ部との間及び前記突条同士の間に隙間が存在することを特徴とする請求項１に記載の食器洗い乾燥機。
【請求項３】
下側の前記扉の上面に水を溜める溜水溝が設けられ、前記合わせ部及び前記突条先端の間に水膜が形成されるようにしてあることを特徴とする請求項２に記載の食器洗い乾燥機。
【請求項４】
前記溜水溝よりも浅く水を前記洗浄槽の内部に導く導水溝が前記溜水溝に連設されていることを特徴とする請求項３に記載の食器洗い乾燥機。
【請求項５】
下側の前記扉の内面であって前記合わせ部の近傍に遮蔽突条を備えることを特徴とする請求項１乃至４のいずれか１つに記載の食器洗い乾燥機。
【請求項６】
前記遮蔽突条の上面は前記洗浄槽の底に向けて傾斜していることを特徴とする請求項５に記載の食器洗い乾燥機。
【請求項７】
最下に位置する前記扉の合わせ部から前記開口部の下端までの間の上下方向の長さが、最下に位置する前記扉の合わせ部から前記開口部の上端までの間の上下方向の長さよりも短いことを特徴とする請求項１乃至６のいずれか１つに記載の食器洗い乾燥機。
【請求項８】
前記扉の開扉を制限するストッパと、案内溝が設けられており前記ストッパを収容する収容室とを前記筐体の前記扉が支持されている部分の近傍に備え、前記ストッパが前記案内溝に沿って摺動され前記扉及び前記筐体の間に挟まれるようにしてあることを特徴とする請求項１乃至７のいずれか１つに記載の食器洗い乾燥機。
【請求項９】
前記扉の外面であって最下に位置する前記合わせ部より下側に離隔した位置に手を触れて操作する操作部を備えることを特徴とする請求項１乃至８のいずれか１つに記載の食器洗い乾燥機。
【請求項１０】
正面に開口部を有する筐体と、該筐体に支持されており前記開口部を開閉する１又は複数の扉と、前記筐体の内部に設けられている洗浄槽と、該洗浄槽の内部の空気を排気する排気ファンとを備え、食器を乾燥する乾燥工程を含む運転を行う食器洗い乾燥機において、
前記扉の周囲及び前記筐体正面の内縁は隙間を隔てて対向する対向部を備えており、前記乾燥工程にて前記隙間から空気を吸気するようにしてあることを特徴とする食器洗い乾燥機。
【請求項１１】
前記対向部の上下に対向する部分にて、対向する他方の前記対向部に向けて突出して内外方向に並設され、上向きに突出している先端が下向きに突出している先端より上方に位置する突条を備え、前記先端のそれぞれと、該先端のそれぞれに対向する前記対向部との間及び前記突条同士の間に隙間が存在することを特徴とする請求項１０に記載の食器洗い乾燥機。
【請求項１２】
前記筐体の正面下部にある対向部の上面に水を溜める溜水溝が設けられ、前記対向部及び突条先端の間に水膜が形成されるようにしてあることを特徴とする請求項１１に記載の食器洗い乾燥機。
【発明の詳細な説明】
【技術分野】
【０００１】
本発明は乾燥工程にて、洗浄槽の内部の空気及び水蒸気が扉の合わせ部の間又は扉と筐体との間から外に漏れないようにし且つ小型化を図ることができる食器洗い乾燥機に関する。
【背景技術】
【０００２】
従来の食器洗い乾燥機にあっては、筐体の外の空気を洗浄槽の内部に送る送風ファンと、洗浄槽の内部の空気及び水蒸気を排気する排気口と、筐体及び筐体の上下に支持されている扉に取り付けられているシール部材とを備えていた。
【０００３】
この食器洗い乾燥機においては、乾燥工程にて送風ファンを駆動させて筐体の外の空気を洗浄槽の内部に取り込ませることにより、洗浄槽の内部の気圧を正圧にし、洗浄槽の内部の空気及び水蒸気を排気口から排気していた。またシール部材を前記扉及び筐体に設けることにより、洗浄槽の内部の空気及び水蒸気が扉の合わせ部の間及び扉と筐体との間から漏出することを防いでいた（特許文献１参照）。
【０００４】
また洗浄槽の内部の空気及び水蒸気を排気する排気ファンと、洗浄槽の内部に筐体の外の空気を送風する送風パイプとを備える食器洗い乾燥機が従来から提案されている。
【０００５】
この食器洗い乾燥機においては、乾燥工程にて前記排気ファンを駆動させることにより、洗浄槽の内部の空気及び水蒸気を排気し、送風パイプから筐体の外の空気を洗浄槽の内部に取り込んでいた。また洗浄槽の内部の気圧を負圧にし、洗浄槽の内部の高温の空気及び水蒸気が扉の合わせ部の間又は扉と筐体との間から漏出することを防いでいた（特許文献２参照）。
【特許文献１】特許第３４９４１５０号公報
【特許文献２】特開２０００−１８５００５号公報
【発明の開示】
【発明が解決しようとする課題】
【０００６】
特許文献１に記載の食器洗い乾燥機にあっては、乾燥工程にて排気を行うときに洗浄槽の内部が正圧になるので、洗浄槽の内部の空気及び水蒸気がシール部材を押圧してシール部材の間に隙間を生じさせ、この隙間から洗浄槽の内部の空気及び水蒸気が漏出し、利用者が火傷する虞があった。
【０００７】
特許文献２に記載の食器洗い乾燥機にあっては、洗浄槽の内部に筐体の外の空気を取り込むための送風パイプを備えているが、該送風パイプは筐体及び洗浄槽の間に配設されているため、送風パイプを配設するための空間を確保して筐体の設計を行う必要があった。
【０００８】
本発明は斯かる事情に鑑みてなされたものであり、扉の合わせ部の隙間又は扉の周囲と筐体の内縁との隙間から空気を吸気する構成とすることにより、乾燥工程にて扉の合わせ部の隙間又は扉の周囲と筐体の内縁との隙間から洗浄槽の内部の高温の空気及び水蒸気が漏出することを防いで利用者が火傷することを防止し、また送風パイプを配設する必要をなくして筐体の小型化を図ることができる食器洗い乾燥機を提供することを目的とする。
【課題を解決するための手段】
【０００９】
本発明に係る食器洗い乾燥機は、正面に開口部を有する筐体と、前記開口部の上下に位置して、合わせ部を有し前記開口部を上下方向に開閉する複数の扉と、前記筐体の内部に設けられている洗浄槽と、該洗浄槽の内部の空気を排気する排気ファンとを備え、食器を乾燥する乾燥工程を含む運転を行う食器洗い乾燥機において、前記合わせ部の間に隙間が設けられており、前記乾燥工程にて前記合わせ部の隙間から空気を吸気するようにしてあることを特徴とする。
【００１０】
本発明においては、合わせ部の間に隙間を設けることにより、乾燥工程にて排気ファンにより洗浄槽の内部に気圧を負圧にして前記合わせ部の隙間から空気を吸気させ、前記合わせ部の隙間から洗浄槽の内部の空気及び水蒸気が漏出することを防ぐ。また送風パイプを配設する必要をなくし筐体の小型化を図る。
【００１１】
また本発明に係る食器洗い乾燥機は、対向する他方の前記合わせ部に向けて突出しており、前記合わせ部に内外方向に並設され、上向きに突出している先端が下向きに突出している先端より上方に位置する突条を備え、前記先端のそれぞれと、該先端のそれぞれと対向する前記合わせ部との間及び前記突条同士の間に隙間が存在することを特徴とする。
【００１２】
本発明においては、合わせ部に、対向する他方の合わせ部に向けて突出させた突条を設けることにより、前記合わせ部をラビリンス構造にし、洗浄工程及びすすぎ工程にて前記洗浄槽の内部の水が前記扉の外側に漏出することを防ぐ。
【００１３】
また本発明に係る食器洗い乾燥機は、下側の前記扉の上面に水を溜める溜水溝が設けられ、前記合わせ部及び前記突条先端の間に水膜が形成されるようにしてあることを特徴とする。
【００１４】
本発明においては、下側の前記扉の上面に水を溜める溜水溝を設けることにより、溜水溝に水を溜めて前記合わせ部及び突条先端の間に水膜を形成し、洗浄工程及びすすぎ工程にて前記洗浄槽の内部の空気及び水蒸気が前記合わせ部の間から漏出することを防ぐ。
【００１５】
また本発明に係る食器洗い乾燥機は、前記溜水溝よりも浅く水を前記洗浄槽の内部に導く導水溝が前記溜水溝に連設されていることを特徴とする。
【００１６】
本発明においては、溜水溝よりも浅い導水溝を前記溜水溝に連設することにより、前記溜水溝に過剰に流入した水を、前記導水溝を通して洗浄槽の内部に流すので、前記溜水溝に水が溜まり過ぎることを防ぎ、また、前記溜水溝の付近に滞留している水が前記溜水溝に流れやすくなり、該溜水溝の付近に滞留している水の量が減少する。
【００１７】
また本発明に係る食器洗い乾燥機は、下側の前記扉の内面であって前記合わせ部の近傍に遮蔽突条を備えることを特徴とする。
【００１８】
本発明においては、下側の扉の内面であって合わせ部の近傍に遮蔽突条を設けることにより、洗浄槽に設けられている噴射ノズルから前記合わせ部の間に向けて水が噴射された場合でも、噴射された水は前記遮蔽突条に当たり、前記合わせ部の間に形成された水膜が破られることを防止する。
【００１９】
また本発明に係る食器洗い乾燥機は、前記遮蔽突条の上面は前記洗浄槽の底に向けて傾斜していることを特徴とする。
【００２０】
本発明においては、遮蔽突条の上面を洗浄槽の底に向けて傾斜させることにより、前記遮蔽突条の上面に付着した残菜が前記洗浄槽の内部に向けて水と共に洗い流され、前記遮蔽突条の上面に残菜が残ることを防ぐ。
【００２１】
また本発明に係る食器洗い乾燥機は、最下に位置する前記扉の合わせ部から前記開口部の下端までの間の上下方向の長さが、最下に位置する前記扉の合わせ部から前記開口部の上端までの間の上下方向の長さよりも短いことを特徴とする。
【００２２】
本発明においては、最下に位置する扉の合わせ部から開口部の下端までの間の上下方向の長さを、最下に位置する前記扉の合わせ部から前記開口部の上端までの間の上下方向の長さよりも短くすることにより、前記合わせ部を前記洗浄槽の内部に設けられているヒータの近傍に位置せしめ、前記合わせ部の間から前記洗浄槽の内部に取り込まれる空気が確実に加熱されるようにする。
【００２３】
また本発明に係る食器洗い乾燥機は、前記扉の開扉を制限するストッパと、案内溝が設けられており前記ストッパを収容する収容室とを前記筐体の前記扉が支持されている部分の近傍に備え、前記ストッパが前記案内溝に沿って摺動され前記扉及び前記筐体の間に挟まれるようにしてあることを特徴とする。
【００２４】
本発明においては、ストッパが案内溝に沿って摺動され扉及び筐体の間に挟まれる構成とすることにより、乾燥工程にて前記扉の開扉を制限し、前記扉を前記筐体の外側に向けて傾斜させ、前記扉の内面に付着している水を前記洗浄槽の底に向けて流す。また、前記合わせ部の隙間を広げ前記洗浄槽の内部に取り込まれる空気の量を増加させる。
【００２５】
また本発明に係る食器洗い乾燥機は、前記扉の外面であって最下に位置する前記合わせ部より下側に離隔した位置に手を触れて操作する操作部を備えることを特徴とする。
【００２６】
本発明においては、扉の外面であって最下に位置する合わせ部より下側に離隔した位置に手を触れて操作する操作部を設けることにより、例えば、排気ファンが動作不良を起こし洗浄槽の内部の高温の空気及び水蒸気が前記合わせ部から漏出した場合であっても、前記合わせ部の隙間から排気される前記洗浄槽の内部の高温の空気及び水蒸気が前記操作部に当たることを防ぎ、該操作部が高温になることを防止する。
【００２７】
また本発明に係る食器洗い乾燥機は、正面に開口部を有する筐体と、該筐体に支持されており前記開口部を開閉する１又は複数の扉と、前記筐体の内部に設けられている洗浄槽と、該洗浄槽の内部の空気を排気する排気ファンとを備え、食器を乾燥する乾燥工程を含む運転を行う食器洗い乾燥機において、前記扉の周囲及び前記筐体正面の内縁は隙間を隔てて対向する対向部を備えており、前記乾燥工程にて前記隙間から空気を吸気するようにしてあることを特徴とする。
【００２８】
本発明においては、扉の周囲及び筐体正面の内縁に隙間を隔てて対向する対向部を設けることにより、乾燥工程にて排気ファンにより洗浄槽の内部の気圧を負圧にして前記対向部の隙間から空気を吸気し、前記対向部の隙間から前記洗浄槽の内部の空気及び水蒸気が漏出することを防ぐ。また送風パイプを配設する必要がなくなる。
【００２９】
また本発明に係る食器洗い乾燥機は、前記対向部の上下に対向する部分にて、対向する他方の前記対向部に向けて突出して内外方向に並設され、上向きに突出している先端が下向きに突出している先端より上方に位置する突条を備え、前記先端のそれぞれと、該先端のそれぞれに対向する前記対向部との間及び前記突条同士の間に隙間が存在することを特徴とする。
【００３０】
本発明においては、対向部に他方の対向部に向けて突出させた突条を設けることにより、前記対向部をラビリンス構造にし、前記対向部に洗浄槽の内部の水が掛かった場合に前記扉の外側に洗浄槽の内部の水が漏出することを防ぐ。
【００３１】
また本発明に係る食器洗い乾燥機は、前記筐体の正面下部にある対向部の上面に水を溜める溜水溝が設けられ、前記対向部及び突条先端の間に水膜が形成されるようにしてあることを特徴とする。
【００３２】
本発明においては、筐体の正面下部にある対向部の上面に水を溜める溜水溝を設けることにより、前記溜水溝に水を溜めて前記対向部及び突条先端の間に水膜を形成し、洗浄工程及びすすぎ工程にて前記洗浄槽の内部の空気及び水蒸気が前記対向部の隙間から漏出することを防ぐ。
【発明の効果】
【００３３】
本発明に係る食器洗い乾燥機においては、排気ファンを設け且つ合わせ部の間に隙間を設けることにより、乾燥工程にて排気ファンにより洗浄槽の内部の気圧を負圧にして前記合わせ部の隙間から空気を吸気させ、前記合わせ部の隙間から洗浄槽の内部の空気及び水蒸気が漏出することを防ぎ、利用者が火傷することを防止することができる。また送風パイプを配設する必要がなくなり筐体の小型化を図ることができる。
【００３４】
また本発明に係る食器洗い乾燥機においては、合わせ部に、対向する他方の合わせ部に向けて突出させた突条を設けることにより、前記合わせ部をラビリンス構造にし、洗浄工程及びすすぎ工程にて洗浄槽の内部の水が扉の外に漏出することを防いでいるため、扉の外面が汚れることを防止することができる。
【００３５】
また本発明に係る食器洗い乾燥機においては、下側の扉の上面に水を溜める溜水溝を設けることにより、溜水溝に水を溜めて合わせ部及び突条先端の間に水膜を形成し、洗浄工程及びすすぎ工程にて前記洗浄槽の内部の空気及び水蒸気が前記合わせ部の間から漏出することを防いでいる。したがって洗浄工程及びすすぎ工程にて前記洗浄槽の内部の温度が低下することを防ぎ、洗浄効果の低下を防止することができる。
【００３６】
また本発明に係る食器洗い乾燥機においては、溜水溝よりも浅い導水溝を前記溜水溝に連設することにより、前記溜水溝に過剰に流入した水を、前記導水溝を通して前記洗浄槽の内部に流すので、前記溜水溝に水が溜まり過ぎることを防ぎ、また、前記溜水溝の付近に滞留している水が前記溜水溝に流れやすくなり、該溜水溝の付近に滞留している水の量が減少する。
【００３７】
また本発明に係る食器洗い乾燥機においては、下側の扉の内面であって合わせ部の近傍に遮蔽突条を設けることにより、洗浄槽に設けられている噴射ノズルから前記合わせ部の間に向けて水が噴射された場合でも、噴射された水は前記遮蔽突条に当たり、前記合わせ部の間に形成された水膜が破られることを防止する。したがって洗浄工程及びすすぎ工程にて前記洗浄槽の内部の空気及び水蒸気が前記合わせ部の間から漏出せず、洗浄工程及びすすぎ工程にて前記洗浄槽の内部の温度が低下することを防ぎ、洗浄効果の低下を防止することができる。
【００３８】
また本発明に係る食器洗い乾燥機においては、遮蔽突条の上面を洗浄槽の底に向けて傾斜させることにより、前記遮蔽突条の上面に付着した残菜が前記洗浄槽の内部に向けて水と共に洗い流され、前記遮蔽突条の上面に残菜が残ることを防ぐので、扉を開けたときに残った残菜が扉の外側に飛散することを防止することができる。
【００３９】
また本発明に係る食器洗い乾燥機においては、最下に位置する扉の合わせ部から開口部の下端までの間の上下方向の長さを、最下に位置する前記扉の合わせ部から前記開口部の上端までの間の上下方向の長さよりも短くすることにより、前記合わせ部を前記洗浄槽の内部に設けられているヒータの近傍に位置せしめ、前記合わせ部の間から前記洗浄槽の内部に取り込まれる空気が確実に加熱されるようにし、加熱した空気を食器に当てて食器の乾燥を促進することができる。
【００４０】
また本発明に係る食器洗い乾燥機においては、ストッパが案内溝に沿って摺動され扉及び筐体の間に挟まれる構成とすることにより、乾燥工程にて前記扉の開扉を制限し、前記扉を前記筐体の外側に向けて傾斜させ、前記扉の内面に付着している水を洗浄槽の底に向けて流し、扉を開けたときに飛散する水の量を軽減することができる。また合わせ部の隙間を広げ前記洗浄槽の内部に取り込まれる空気の量を増加させ、食器の乾燥を促進することができる。
【００４１】
また本発明に係る食器洗い乾燥機においては、扉の外面であって最下に位置する合わせ部より下側に離隔した位置に手を触れて操作する操作部を設けることにより、例えば排気ファンが動作不良を起こし洗浄槽の内部の高温の空気及び水蒸気が前記合わせ部から漏出した場合であっても、前記合わせ部の隙間から排気される前記洗浄槽の内部の高温の空気及び水蒸気が前記操作部に当たることを防ぎ、該操作部が高温になることを防止する。したがって利用者が火傷をすることなく前記操作部を操作することができる。
【００４２】
また本発明に係る食器洗い乾燥機においては、扉の縁及び筐体正面の縁に隙間を空けて互いに対向する対向部を設けることにより、乾燥工程にて排気ファンにより洗浄槽の内部の気圧を負圧にして前記対向部の隙間から空気を吸気し、前記対向部の隙間から洗浄槽の内部の空気及び水蒸気が漏出することを防いで、利用者が火傷することを防止することができる。また送風パイプを配設する必要がなくなり筐体の小型化を図ることができる。
【００４３】
また本発明に係る食器洗い乾燥機においては、対向部に、対向する他方の対向部に向けて突出させた突条を設けることにより、前記対向部をラビリンス構造にし、前記対向部に洗浄槽の内部の水が掛かった場合に洗浄槽の内部の水が扉の外に漏出することを防いでいるため、扉の外面が汚れることを防止することができる。
【００４４】
また本発明に係る食器洗い乾燥機においては、筐体の正面下部にある対向部の上面に水を溜める溜水溝を設けることにより、溜水溝に水を溜めて前記対向部及び突条先端の間に水膜を形成し、洗浄工程及びすすぎ工程にて洗浄槽の内部の空気及び水蒸気が前記対向部の間から漏出することを防いでいる。したがって洗浄工程及びすすぎ工程にて前記洗浄槽の内部の温度が低下することを防ぎ、洗浄効果の低下を防止することができる。
【発明を実施するための最良の形態】
【００４５】
（実施の形態１）
以下、本発明を実施の形態１を示す図面に基づいて詳述する。図１は実施の形態１に係る食器洗い乾燥機の正面から見た要部構成を示す模式図、図２は洗浄工程又はすすぎ工程における右側面から見た要部構成を示す模式図、図３は図２に示す合わせ部付近の部分拡大図、図４は乾燥工程における右側面から見た要部構成を示す模式図である。
【００４６】
図において、１は食器洗い乾燥機の外装を成す筐体であり、洗浄槽２が筐体１の内部に設けられ、洗浄槽２の内部には食器１６を載せる食器受具３が設けられている。食器受具３の下側には、食器に水を噴射する噴射ノズル１１と、洗浄及びすすぎを行う場合に水を加熱し、乾燥を行う場合に洗浄層２内の空気を暖める渦巻形状のヒータ４とが配置されている。洗浄槽２の内壁には水を噴射する固定ノズル１８が取り付けられている。
【００４７】
洗浄槽２の底部左側には洗浄槽２を窪ませてなる貯水タンク１２が設けられている。貯水タンク１２に給水する給水管１３が洗浄槽２の左側面部と筐体１との間に配設されており、給水管１３の一端部には給水弁１４が取着され、給水管１３の他端部は洗浄槽２の内部に向けて開口している給水口１５となっている。
【００４８】
筐体１の底部中央にはポンプ６及びポンプ６を駆動するモータ７が設けられており、貯水タンク１２の底部とポンプ６とが吸込管５を介して連接されている。ポンプ６の上部には上側に延びる送水管８が設けられており、送水管８は前記噴射ノズル１１及び固定ノズル１８に連なる送水ダクト１７に連設されている。またポンプ６の上部には筐体１の背面に向けて延設されている排水管９が設けられており、排水管９の先端開口は排水口１０となっている。
【００４９】
筐体１の天井部と洗浄槽２の天井部との間に洗浄槽２の内部の空気及び水蒸気が通流する排気ダクト１９が設けられている。洗浄槽２の天井部背面近傍には排気ダクト１９の吸込口が開設されており、排気ダクト１９の内部であって前記吸込口付近に排気ファン２０が設けられている。排気ダクト１９の正面には排気口２１が開設されており、該排気口２１から洗浄槽２の内部の空気及び水蒸気が筐体１の外に排気される構成となっている。
【００５０】
筐体１は正面に開口部１ａを備え、前記筐体１の正面上側には板状の上扉３１が、上下に回動して上側に開き下側に閉じるように支持されており、前記筐体１の正面下側には板状の下扉３２が、上下に回動して下側に開き上側に閉じるように支持されている。上扉３１及び下扉３２は連結アームにより連結されており、上扉３１及び下扉３２が連動して動くことで前記開口部１ａを開閉する。
【００５１】
上扉３１の下端部は合わせ部３１ａとなっており、下扉３２の上端部は合わせ部３２ａとなっている。上扉３１の下面には内面側の縁に沿って、下向きに適長突出している突条３１ｂが上扉３１と一体に設けられ、下扉３２の上面には外面側の縁に沿って、上向きに適長突出している突条３２ｂが下扉３２と一体に設けられており、突条３１ｂ及び３２ｂが内外方向に間隔を空けている。
【００５２】
下扉３２の上面であって、突条３１ｂの先端に対向する位置に左右方向に長い溜水溝３２ｃが設けられている。溜水溝３２ｃには、洗浄槽２の内部に向かって延伸しており溜水溝３２ｃよりも浅い導水溝３２ｄが連設されている。
【００５３】
上扉３１及び下扉３２を閉じたときには、合わせ部３１ａ及び３２ａはラビリンス構造を形成する。突条３１ｂの先端は、合わせ部３２ａの突条３２ｂが形成されていない部分に僅かな隙間を空けて接近して対向し、突条３２ｂの先端は、合わせ部３１ａの突条３１ｂが形成されていない部分に僅かな隙間を空けて接近して対向しており、合わせ部３１ａ及び３２ａの間はクランク状の吸気通路３３となる。
【００５４】
次に実施の形態１に係る食器洗い乾燥機の運転について説明する。洗浄工程又はすすぎ工程においては給水弁１４を開き、水を給水管１３に通して給水口１５から貯水タンク１２に水を供給する。貯水タンク１２に供給された水は、吸込管５を通ってポンプ６に送られる。ポンプ６に送られた水はモータ７の駆動により、送水管８及び送水ダクト１７を経由して噴射ノズル１１又は固定ノズル１８に送られ、図２にて矢印で示すように噴射ノズル１１又は固定ノズル１８の噴射口から洗浄槽２の内部に噴射される。
【００５５】
食器１６に向けて噴射された水は、食器１６の表面に当たり食器表面に付着した汚れを剥離させる。合わせ部３１ａ及び合わせ部３２ａの間に向けて噴射された水は、突条３１ｂ又は３２ｂに当たり、上扉３１及び下扉３２の外面側に水は漏出しない。
【００５６】
合わせ部３２ａに水が掛かると、水は溜水溝３２ｃに流入する。溜水溝３２ｃに流入した水の水位が導水溝３２ｄの底の位置よりも高くなると、溜水溝３２ｃに流入した水は導水溝３２ｄを通り洗浄槽２の内部へ流される。溜水溝３２ｃに流入した水の水位が導水溝３２ｄの底の位置よりも低くなると、溜水溝３２ｃに流入した水は洗浄槽２の内部へ流されず、溜水溝３２ｃには所定量の水が溜まる。
【００５７】
突条３１ｂの先端及び合わせ部３２ａは接近して対向しているので、突条３１ｂの先端及び合わせ部３２ａの間には水膜Ｓが形成される。特に洗浄工程においては水に洗剤が溶け込んでいることから水膜Ｓが形成されやすい。水膜Ｓが形成されると洗浄槽２の内部の空気及び水蒸気は吸気通路３３を通流できず筐体１の外に排気されない。
【００５８】
水の噴射が終了するとモータ７が逆向きに駆動され、貯水タンク１２に溜まっている水が吸込管５を通りポンプ６に送られる。ポンプ６に送られた水は排水管９を通り排水口１０から排水され、洗浄工程又はすすぎ工程は終了する。
【００５９】
洗浄工程及びすすぎ工程が終了すると、乾燥工程に移る。図４の矢印は合わせ部３１ａ及び３２ａの隙間から筐体１の内部に取り込まれた空気の流れを示している。排気ファン２０が駆動し、洗浄槽２の内部の空気及び水蒸気が排気ダクト１９を通流して排気口２１から排気されると、洗浄槽２の内部の気圧が負圧となり、筐体１の外の空気が水膜Ｓを押圧する。押圧により水膜Ｓが破られると、筐体１の外の空気が吸気通路３３を通り洗浄槽２の内部に取り込まれる。
【００６０】
洗浄槽２の内部に取り込まれた筐体１の外の空気は、洗浄槽２の内部の温度に比して低いので洗浄槽２の底部に向けて移動する。移動した空気はヒータ４にて加熱され、加熱された空気は上昇して食器１６の表面に当たり、食器を乾燥させる。食器１６の表面に当たった空気は、洗浄槽２の内部の空気及び水蒸気と共に排気ファン２０に吸込まれ、排気ダクト１９を通流して排気口２１から筐体１の外に排気される。
【００６１】
排気ファン２０を設け且つ合わせ部３１ａ及び３２ａの間に隙間を設けることにより、乾燥工程にて洗浄槽２の内部の気圧を負圧にして前記合わせ部３１ａ及び３２ａの隙間から空気を吸気させ、前記合わせ部３１ａ及び３２ａの間から洗浄槽２の内部の空気及び水蒸気が漏出することを防ぎ、利用者が火傷することを防止することができる。また送風パイプを配設する必要がなくなり筐体１の小型化を図ることができる。
【００６２】
また合わせ部３１ａ及び３２ａに、対向する他方の合わせ部に向けて突出させた突条３１ｂ及び３２ｂをそれぞれ設けることにより、前記合わせ部３１ａ及び３２ａをラビリンス構造にし、洗浄工程及びすすぎ工程にて洗浄槽の内部の水が扉の外に漏出することを防いでいるため、上扉３１及び下扉３２の外面が汚れることを防止することができる。
【００６３】
また下扉３２の上面に水を溜める溜水溝３２ｃを設けることにより、溜水溝３２ｃに水を溜めて合わせ部３２ａ及び突条３１ｂの先端の間に水膜Ｓを形成し、洗浄工程及びすすぎ工程にて洗浄槽２の内部の空気及び水蒸気が合わせ部３１ａ及び３２ａの間から漏出することを防いでいる。したがって洗浄工程及びすすぎ工程にて洗浄槽２の内部の温度が低下することを防ぎ、洗浄効果の低下を防止することができる。
【００６４】
また、溜水溝３２ｃよりも浅い導水溝３２ｄを溜水溝３２ｃに連設することにより、前記溜水溝３２ｃに過剰に流入した水を、前記導水溝３２ｄを通して洗浄槽２の内部に流すので、前記溜水溝３２ｃに水が溜まり過ぎることを防ぎ、また、前記溜水溝３２ｃの付近に滞留している水が該溜水溝３２ｃに流れやすくなり、前記溜水溝３２ｃの付近に滞留している水の量が減少する。したがって例えば上扉３１及び下扉３２を開けた場合に、上扉３１及び下扉３２の外側に飛散する水の量を低減することができる。
【００６５】
なお突条３１ｂが上扉３１の下面にて上扉３１の外面側の縁に沿って下向きに適長突出し、突条３２ｂが下扉３２の上面にて下扉３２の内面側の縁に沿って上向きに適長突出する構成であっても良い。また、３つ以上の扉が開口部１ａを上下方向に開閉し、２以上の合わせ部の間から洗浄槽の内部の空気及び水蒸気を吸気する構成であっても良い。また溜水溝３２ｃに水が流入しやすいように、溜水溝３２ｃに向かう傾斜を合わせ部３２ａに設けても良い。
【００６６】
（実施の形態２）
図５は実施の形態２に係る食器洗い乾燥機の洗浄工程又はすすぎ工程における要部構成を示す右側面から見た模式図である。
【００６７】
下扉３２の内面の上端縁に沿って遮蔽突条３４が設けられており、遮蔽突条３４の上下方向に切断した場合の断面形状は内側に向けて縮幅された略等脚台形となっている。上扉３１及び下扉３２には係合部材（図示せず）がそれぞれ設けられており、前記係合部材が互いに係合すると開口部１ａが閉じられる構成となっている。下扉３２の外面上部であって合わせ部３２ａの位置よりも下側に離隔した位置に、前記係合部材の係合を解除する係合解除ボタン３５が設けられている。
【００６８】
遮蔽突条３４が下扉３２の内面の上端縁に沿って設けられているので、噴射ノズル１１から突条３１ｂの先端及び合わせ部３２ａの間に向けて噴射された水は、遮蔽突条３４に当たり、突条３１ｂの先端及び合わせ部３２ａの間に形成された水膜Ｓが破られることを防ぐことができる。また、遮蔽突条３４の上面は下扉３２の内面に対し洗浄槽２の底に向けて傾斜しているので、遮蔽突条３４の上面に付着した残菜は洗浄槽２の内部に向けて水で洗い流される。
【００６９】
係合解除ボタン３５が合わせ部３２ａの位置よりも下側に離隔した位置に設けられているので、例えば排気ファン２０が動作不良を起こして洗浄槽２の内部の高温の空気及び水蒸気が吸気通路３３から漏出した場合であっても、漏出した洗浄槽２の内部の高温の空気及び水蒸気は係合解除ボタン３５に当たらず、係合解除ボタン３５が高温になることを防ぐ。
【００７０】
下扉３２の内面上端縁に沿って遮蔽突条３４を設けることにより、洗浄槽２に設けられている噴射ノズル１１から突条３１ｂの先端及び合わせ部３２ａの間に向けて水が噴射された場合でも、噴射された水は前記遮蔽突条３４に当たり、前記突条３１ｂの先端及び合わせ部３２ａの間に形成された水膜Ｓが破られることを防止する。したがって洗浄工程及びすすぎ工程にて前記洗浄槽２の内部の空気及び水蒸気が前記吸気通路３３から漏出しないので、洗浄工程及びすすぎ工程にて洗浄槽２の内部の温度が低下することを防ぎ、洗浄効果の低下を防止することができる。
【００７１】
また、遮蔽突条３４の上面を下扉３２の内面に対し前記洗浄槽２の底に向けて傾斜させることにより、前記遮蔽突条３４の上面に付着した残菜が前記洗浄槽２の内部に向けて水と共に洗い流され、前記遮蔽突条３４の上面に残菜が残ることを防ぐので、残った残菜が上扉３１及び下扉３２を開けたときに飛散することを防止することができる。
【００７２】
また、下扉３２の外面であって合わせ部３２ａから下側に離隔した位置に係合解除ボタン３５を設けることにより、例えば排気ファン２０が動作不良を起こして洗浄槽２の内部の高温の空気及び水蒸気が吸気通路３３から漏出した場合であっても、洗浄槽２の内部の空気及び水蒸気が前記係合解除ボタン３５に当たることを防ぎ、該係合解除ボタン３５が高温になることを防止するので、利用者は火傷することなく前記係合解除ボタン３５に触れることができる。
【００７３】
なお、係合解除ボタン３５のみならず、ハンドル等の手を触れて操作する操作部を下扉３２の外面であって合わせ部３２ａから下側に離隔した位置に設けても良い。
【００７４】
実施の形態２に係る食器洗い乾燥機の構成の内、実施の形態１と対応する構成については同じ符号を付し、その詳細な説明を省略する。
【００７５】
（実施の形態３）
図６は実施の形態３に係る食器洗い乾燥機の乾燥工程における右側面からみた要部構成を示す模式図、図７は図６に示す下扉の筐体での支持部分を拡大して示す模式図である。
【００７６】
下扉３２の下側には筐体１の化粧板部３６があり、化粧板部３６の上面と下扉３２の下面が対向する構成となっている。下扉３２の上下方向の長さは上扉３１の上下方向の長さよりも短くなっている。筐体１の正面下部には後述するストッパ４１を収容する収容室４２が筐体１の正面を窪ませて形成されている。収容室４２には下扉３２の開扉を制限するストッパ４１が収容されている。収容室４２の底面及び化粧板部３６の上面は連なっており、収容室４２の底面及び化粧板部３６の上面にはストッパ４１を摺動させるための案内溝４３が設けられている。
【００７７】
収容室４２の下側であって筐体１の右側面に、正背面方向に長い小判形孔４４が開設されている。小判形孔４４から、ストッパ４１に連結しているハンドル４５が突出している。ハンドル４５を正面方向に移動させるとストッパ４１が案内溝４３に沿って正面方向に移動し、ハンドル４５を背面方向に移動させるとストッパ４１が案内溝４３に沿って背面方向に移動する構成となっている。
【００７８】
上扉３１及び下扉３２を閉じた状態でハンドル４５を正面方向に移動させると、ストッパ４１が案内溝４３に沿って収容室４２から化粧板部３６の上面に移動する。次に下扉３２を下側に開くと下扉３２の下面がストッパ４１に当接し、下扉３２は筐体１の外側に向けて傾斜した状態となる。このとき、下扉３２と上扉３１とは連結アームで連結されているので上扉３１も筐体１の外側に向けて傾斜した状態となる。
【００７９】
乾燥工程にて上扉３１及び下扉３２を筐体１の外側に向けて傾斜させて置くと、上扉３１及び下扉３２の内面に付着している水が洗浄槽２の底部に向かって流れ落ち、上扉３１及び下扉３２の内面に付着している水の量が軽減される。また合わせ部３１ａ及び３２ａの隙間は広がり、吸気通路３３が拡張され、乾燥工程にて吸気通路３３から洗浄槽２の内部に取り込まれる筐体１の外の空気の量が増加する。
【００８０】
合わせ部３２ａから前記開口部１ａの下端までの間の上下方向の長さを、合わせ部３１ａから前記開口部１ａの上端までの間の上下方向の長さよりも短くすることにより、前記合わせ部３１ａ及び３２ａの隙間を前記洗浄槽２の内部に設けられているヒータ４の近傍に位置せしめ、前記合わせ部３１ａ及び３２ａの隙間から前記洗浄槽２の内部に取り込まれる空気が確実に加熱されるようにし、加熱した空気を食器１６に当てて食器の乾燥を促進することができる。
【００８１】
またストッパ４１が案内溝４３に沿って摺動され下扉３２及び化粧板部３６の間に挟まれる構成とすることにより、乾燥工程にて上扉３１及び下扉３２の開扉を制限し、該上扉３１及び下扉３２を筐体１の外側に向けて傾斜させ、前記上扉３１及び下扉３２の内面に付着している水を洗浄槽２の底に向けて流し、上扉３１及び下扉３２を開けたときに飛散する水の量を軽減することができ、また合わせ部３１ａ及び３２ａの隙間を広げ前記洗浄槽２の内部に取り込まれる空気の量を増加させ、食器１６の乾燥を促進することができる。
【００８２】
なお、ストッパ４１はソレノイドを用いて移動させても良い。また筐体１の正面上部に収容室を設けても良い。また扉は１つで構成されていても良い。
【００８３】
実施の形態３に係る食器洗い乾燥機の構成の内、実施の形態１又は２と対応する構成については同じ符号を付し、その詳細な説明を省略する。
【００８４】
（実施の形態４）
図８は実施の形態４に係る食器洗い乾燥機の乾燥工程における右側面から見た要部構成を示す模式図である。筐体１は正面に開口部１ａを備え、前記筐体１の正面上側には板状の上扉５１が、上下に回動して上側に開き下側に閉じるように支持されており、前記筐体１の正面下側には板状の下扉５２が、上下に回動して下側に開き上側に閉じるように支持されている。上扉５１及び下扉５２は連結アームにより連結されており、上扉５１及び下扉５２が連動して動くことで前記開口部１ａを開閉する。上扉５１及び下扉５２の合わせ部にはシール部材５０が取り付けられている。筐体１の正面下部は化粧板部５３となっており、化粧板部５３の上面と下扉５２の下面が対向する構成となっている。
【００８５】
下扉５２の下端部は対向部５２ａとなっており、化粧板部５３の上端部は対向部５３ａとなっている。下扉５２の下面には内面側の縁に沿って、下向きに適長突出している突条５２ｂが下扉５２と一体に設けられ、化粧板部５３の上面には外面側の縁に沿って、上向きに適長突出している突条５３ｂが化粧板部５３と一体に設けられており、突条５２ｂ及び５３ｂが内外方向に間隔を空けている。化粧板部５３の上面であって、突条５２ｂの先端に対向する位置に左右方向に長い溜水溝５３ｃが設けられている。
【００８６】
下扉５２を閉じたときには、対向部５２ａ及び５３ａはラビリンス構造を形成する。突条５２ｂの先端は、対向部５３ａの突条５３ｂが形成されていない部分に僅かな隙間を空けて接近して対向し、突条５３ｂの先端は、対向部５２ａの突条５２ｂが形成されていない部分に僅かな隙間を空けて接近して対向しており、対向部５２ａ及び５３ａの間はクランク状の吸気通路５４となる。
【００８７】
洗浄工程及びすすぎ工程にて噴射ノズル１１又は固定ノズル１８からヒータ４にて加熱された水が噴射され、上扉５１又は下扉５２に水が付着する。付着した水は上扉５１又は下扉５２の内面を伝って下に流れて対向部５２ａ及び５３ａに到達し、溜水溝５３ｃに水が溜まる。突条５２ｂの先端及び対向部５３ａは接近して対向しているので、突条５２ｂの先端及び対向部５３ａの間には水膜Ｓが形成される。特に洗浄工程においては水に洗剤が溶け込んでいるので水膜Ｓが形成されやすい。水膜Ｓが形成されると洗浄槽２の内部の空気及び水蒸気は吸気通路５４を通流できず筐体１の外に排気されない。なお洗浄槽２の内部の水が対向部５２ａ及び５３ａの間に掛かった場合でも、突条５２ｂ及び５３ｂにより下扉５２及び化粧板部５３の外側に水は漏出しない。
【００８８】
図８の矢印は対向部５２ａ及び５３ａの隙間から筐体１の内部に取り込まれた空気の流れを示している。乾燥工程にて排気ファン２０が駆動し、洗浄槽２の内部の空気及び水蒸気が排気ダクト１９を通流して排気口２１から排気されると、洗浄槽２の内部の気圧が負圧となり、筐体１の外の空気が水膜Ｓを押圧する。押圧により水膜Ｓが破られると、筐体１の外の空気が吸気通路５４を通り洗浄槽２の内部に取り込まれ、取り込まれた空気はヒータ４で加熱されて食器１６に当たる。食器１６に当たった空気は洗浄槽２の内部の空気及び水蒸気と共に排気ファン２０に吸込まれ、排気ダクト１９を通流して排気口２１から筐体１の外に排気される。
【００８９】
下扉５２の下端部及び化粧板部５３の上端部に隙間を隔てて互いに対向する対向部５２ａ及び５３ａを設けることにより、乾燥工程にて排気ファン２０により洗浄槽２の内部の気圧を負圧にして前記対向部５２ａ及び５３ａの隙間から空気を吸気し、前記対向部５２ａ及び５３ａの隙間から洗浄槽２の内部の空気及び水蒸気が漏出することを防いで、利用者が火傷することを防止することができる。また送風パイプを配設する必要がなくなり、筐体１の小型化を図ることができる。
【００９０】
また対向部５２ａ及び５３ａに、対向する他方の対向部に向けて突出させた突条５２ｂ及び５３ｂを設けることにより、前記対向部５２ａ及び５３ａをラビリンス構造にし、洗浄工程及びすすぎ工程にて前記対向部５２ａ及び５３ａに洗浄槽２の内部の水が掛かった場合であっても、洗浄槽２の内部の水が下扉５２及び化粧板部５３の外に漏出することを防いでいるため、下扉５２及び化粧板部５３の外面が汚れることを防止することができる。
【００９１】
また化粧板部５３の上面に水を溜める溜水溝５３ｃを設けることにより、溜水溝５３ｃに水を溜めて前記対向部５３ａ及び突条５２ｂの間に水膜Ｓを形成し、洗浄工程及びすすぎ工程にて洗浄槽２の内部の空気及び水蒸気が前記対向部５２ａ及び５３ａの間から漏出することを防いでいる。したがって洗浄工程及びすすぎ工程にて前記洗浄槽２の内部の温度が低下することを防ぎ、洗浄効果の低下を防止することができる。
【００９２】
なお、対向部は上扉５１の上端部及び筐体１の正面上部に設けても良く、上扉５１及び下扉５２の側端部並びに筐体１の正面側部に設けても良い。またシール部材５０を取りつけずに上扉５１及び下扉５２の合わせ部をラビリンス構造としても良い。また扉は３つ以上から構成されていても良く、１つで構成されていても良い。
【００９３】
実施の形態４に係る食器洗い乾燥機の構成の内、実施の形態１乃至３と対応する構成については同じ符号を付し、その詳細な説明を省略する。
【図面の簡単な説明】
【００９４】
【図１】実施の形態１に係る食器洗い乾燥機の正面から見た要部構成を示す模式図である。
【図２】実施の形態１に係る食器洗い乾燥機の洗浄工程又はすすぎ工程における右側面から見た要部構成を示す模式図である。
【図３】実施の形態１に係る食器洗い乾燥機の図２に示す合わせ部付近の部分拡大図である。
【図４】実施の形態１に係る食器洗い乾燥機の乾燥工程における右側面から見た要部構成を示す模式図である。
【図５】実施の形態２に係る食器洗い乾燥機の洗浄工程又はすすぎ工程における要部構成を示す右側面から見た模式図である。
【図６】実施の形態３に係る食器洗い乾燥機の乾燥工程における右側面からみた要部構成を示す模式図である。
【図７】実施の形態３に係る食器洗い乾燥機の図６に示す下扉の筐体での支持部分を拡大して示す模式図である。
【図８】実施の形態４に係る食器洗い乾燥機の乾燥工程における右側面から見た要部構成を示す模式図である。
【符号の説明】
【００９５】
１  筐体
２  洗浄槽
３  食器受具
４  ヒータ
１１  噴射ノズル
１８  固定ノズル
１９  排気ダクト
２０  排気ファン
２１  排気口
３１，５１  上扉
３１ａ，３２ａ  合わせ部
３１ｂ，３２ｂ、５２ｂ、５３ｂ  突条
３２ｃ、５３ｃ  溜水溝
３２ｄ  導水溝
３２，５２  下扉
３３，５４  吸気通路
３４  遮蔽突条
３５  係合解除ボタン
３６、５３  化粧板部
４１  ストッパ
４２  収容室
４３  案内溝
４４  小判形孔
４５  ハンドル
５２ａ，５３ａ  対向部
Ｓ  水膜
【図１】
2008029623.tif 000003
【図２】
2008029623.tif 000004
【図３】
2008029623.tif 000005
【図４】
2008029623.tif 000006
【図５】
2008029623.tif 000007
【図６】
2008029623.tif 000008
【図７】
2008029623.tif 000009
【図８】
2008029623.tif 000010